(57)【要約】【課題】当接部と２つの吐出部とが不均一に接触し、当接部の摩耗量が不均一になることに起因して、当接部のインクの払拭性能が低下するのを抑制することが可能な印刷装置を提供する。【解決手段】この印刷装置１００は、Ｙ方向に延び、インクを吐出する第１ノズル部５０および第２ノズル部６０を有する印刷部３と、第１ワイパ部材１０および第２ワイパ部材１１とを備え、第１ワイパ部材１０は、第１ノズル部５０および第２ノズル部６０のいずれにも当接する領域を有し、第２ワイパ部材１１は、少なくとも、第１ワイパ部材１０が当接しない範囲の第２ノズル部６０に当接する領域を有している。【選択図】図８
2018030268.tif 000002
【特許請求の範囲】
【請求項１】
所定方向に延び、インクを吐出する第１吐出部および第２吐出部を有するプリントヘッドと、
第１当接部および第２当接部とを備え、
前記第１当接部は、前記第１吐出部および前記第２吐出部のいずれにも当接する領域を有し、
前記第２当接部は、少なくとも、前記第１当接部が当接しない範囲の前記第２吐出部に当接する領域を有している、印刷装置。
【請求項２】
前記所定方向おいて、前記第１当接部および前記第２当接部は、前記第１吐出部および前記第２吐出部のいずれにも当接する共通の領域を有している、請求項１に記載の印刷装置。
【請求項３】
前記第１当接部は、前記第２当接部よりも、前記第１吐出部および前記第２吐出部に先に当接する位置に配置されている、請求項１または２に記載の印刷装置。
【請求項４】
前記第１当接部は、前記第２当接部よりも剛性が高い、請求項３に記載の印刷装置。
【請求項５】
前記第２当接部の前記第１当接部側の端部近傍には、前記第１当接部側に向けて突出する凸部が設けられている、請求項３または４に記載の印刷装置。
【請求項６】
前記所定方向おいて、前記第１吐出部の長さをＬ１とし、前記第２吐出部の長さをＬ２とし、前記第２当接部の長さをＬ３とし、前記共通の領域の長さをｔとした場合、Ｌ３＝Ｌ２−Ｌ１＋ｔが成り立つ、請求項２に記載の印刷装置。
【請求項７】
前記第１当接部および前記第２当接部は、所定の角度をなしている、請求項１〜６のいずれか１項に記載の印刷装置。
【請求項８】
前記第１吐出部は、モノクロインクを吐出し、
前記第２吐出部は、カラーインクを吐出し、
前記所定方向において、前記第１吐出部の長さは、前記第１当接部の長さと等しい、請求項１〜７のいずれか１項に記載の印刷装置。
【請求項９】
前記所定方向において、前記第２吐出部の長さは、前記第１当接部の長さと前記第２当接部の長さとの和より小さい、請求項１〜８のいずれか１項に記載の印刷装置。
【発明の詳細な説明】
【技術分野】
【０００１】
この発明は、印刷装置に関し、特に、吐出部に当接する当接部を備える印刷装置に関する。
【背景技術】
【０００２】
従来、吐出部に当接する当接部を備える印刷装置が知られている（たとえば、特許文献１参照）。
【０００３】
上記特許文献１には、当接部と、吐出部を有するインクカートリッジが装着され、当接部に対して移動するプリントヘッドとを備えた印刷装置が開示されている。印刷装置は、当接部がインクの吐出口が設けられる吐出部に当接するように構成されている。
【０００４】
ここで、従来の印刷装置では、一般的に、モノクロインクおよびカラーインクについて、互いに異なる大きさの吐出部を有している。
【先行技術文献】
【特許文献】
【０００５】
【特許文献１】特開２００１−１５３３号公報
【発明の概要】
【発明が解決しようとする課題】
【０００６】
しかしながら、上記特許文献１に開示された印刷装置では、当接部が互いに異なる大きさの吐出部に当接しようとすると、当接部には、２つの吐出部に当接する領域と、１つの吐出部に当接する領域とができる。そのため、２つの吐出に当接する領域と、１つの吐出部に当接する領域とで、当接部の摩耗量が不均一になるという不都合がある。その結果、当接部が不均一に削れ、吐出部に当接する部分と吐出部に当接しない（当接しにくくなる）部分とが生じ、インクの払拭性能が低下するという問題点がある。
【０００７】
この発明は、上記のような課題を解決するためになされたものであり、この発明の１つの目的は、当接部と２つの吐出部とが不均一に接触し、当接部の摩耗量が不均一になることに起因して、当接部のインクの払拭性能が低下するのを抑制することが可能な印刷装置を提供することである。
【課題を解決するための手段】
【０００８】
上記目的を達成するために、この発明の一の局面における印刷装置は、所定方向に延び、インクを吐出する第１吐出部および第２吐出部を有するプリントヘッドと、第１当接部および第２当接部とを備え、第１当接部は、第１吐出部および第２吐出部のいずれにも当接する領域を有し、第２当接部は、少なくとも、第１当接部が当接しない範囲の第２吐出部に当接する領域を有している。
【０００９】
上記一の局面による印刷装置において、好ましくは、第１当接部に、第１吐出部および第２吐出部のいずれにも当接する領域を設け、第２当接部に、少なくとも、第１当接部が当接しない範囲の第２吐出部に当接する領域を設ける。これにより、第１当接部が、第１吐出部および第２吐出部（２つの吐出部）に当接して払拭を行い、第２当接部が、第２吐出部（１つの吐出部）に当接して払拭を行うので、第１当接部および第２当接部が不均一に削れることが抑制される。その結果、第１当接部および第２当接部と第１吐出部および第２吐出部（２つの吐出部）とが不均一に接触し、第１当接部および第２当接部の摩耗量が不均一になることに起因して、第１当接部および第２当接部のインクの払拭性能が低下するのを抑制することができる。
【００１０】
上記一の局面による印刷装置において、好ましくは、所定方向おいて、第１当接部および第２当接部は、第１吐出部および第２吐出部のいずれにも当接する共通の領域を有している。このように構成すれば、第１当接部の第２当接部側、および、第２当接部の第１当接部側の共通の領域において、第１当接部および第２当接部を、確実に第１吐出部および第２吐出部に当接させることができる。その結果、第１当接部と第２当接部との間で、払拭漏れが生じるのを抑制することができる。
【００１１】
上記一の局面による印刷装置において、好ましくは、第１当接部は、第２当接部よりも、第１吐出部および第２吐出部に先に当接する位置に配置されている。このように構成すれば、第２当接部に先んじて、第１当接部により、第１吐出部および第２吐出部を払拭することができる。
【００１２】
この場合、好ましくは、第１当接部は、第２当接部よりも剛性が高い。このように構成すれば、第１当接部を、第２当接部よりも撓みにくくすることができるので、第１当接部と第２当接部とを近接させても、当接時に、第１当接部と第２当接部とが接触するのを抑制することができる。
【００１３】
上記第１当接部が第２当接部よりも第１吐出部および第２吐出部に先に当接する位置に配置される構成において、好ましくは、第２当接部の第１当接部側の端部近傍には、第１当接部側に向けて突出する凸部が設けられている。このように構成すれば、第１当接部の一端から第２当接部側に拭き出されたインクを、凸部により、第１吐出部および第２吐出部の外側に拭き出すことができる。
【００１４】
上記所定方向おいて第１当接部および第２当接部が第１吐出部および第２吐出部のいずれにも当接する共通の領域を有する構成において、好ましくは、所定方向おいて、第１吐出部の長さをＬ１とし、第２吐出部の長さをＬ２とし、第２当接部の長さをＬ３とし、共通の領域の長さをｔとした場合、Ｌ３＝Ｌ２−Ｌ１＋ｔが成り立つ。
【００１５】
上記一の局面による印刷装置において、好ましくは、第１当接部および第２当接部は、所定の角度をなしている。このように構成すれば、上記所定方向における第１吐出部および第２吐出部の外側にインクを払き出すことができる。
【００１６】
上記一の局面による印刷装置において、好ましくは、第１吐出部は、モノクロインクを吐出し、第２吐出部は、カラーインクを吐出し、所定方向において、第１吐出部の長さは、第１当接部の長さと等しい。このように構成すれば、第１当接部を所定の位置に配置することにより、第１吐出部の全域に第１当接部を確実に当接させることができる。
【００１７】
上記一の局面による印刷装置において、好ましくは、所定方向において、第２吐出部の長さは、第１当接部の長さと第２当接部の長さとの和より小さい。
【発明の効果】
【００１８】
本発明によれば、上記のように、当接部と２つの吐出部とが不均一に接触し、当接部の摩耗量が不均一になることに起因して、当接部のインクの払拭性能が低下するのを抑制することが可能な印刷装置を提供することができる。
【図面の簡単な説明】
【００１９】
【図１】本発明の第１〜第３実施形態による印刷装置の使用状態を示した斜視図である。
【図２】本発明の第１実施形態による印刷装置の全体構成を示した斜視図である。
【図３】本発明の第１実施形態による第１インクカートリッジを示した斜視図である。
【図４】図３の５００−５００線に沿った断面図である。
【図５】本発明の第１実施形態による第２インクカートリッジを示した斜視図である。
【図６】図５の６００−６００線に沿った断面図である。
【図７】本発明の第１実施形態による印刷装置の第１ノズル部、第２ノズル部、第１ワイパ部材および第２ワイパ部材を示した底面図である。
【図８】本発明の第１実施形態によるメンテナンスユニットを示した斜視図である。
【図９】本発明の第１実施形態による印刷装置の第１ワイパ部材の摩耗について説明するための図である。
【図１０】本発明の第１実施形態による印刷装置の第２ワイパ部材の摩耗について説明するための図である。
【図１１】本発明の第２実施形態による印刷装置の第１ノズル部、第２ノズル部、第１ワイパ部材および第２ワイパ部材を示した底面図である。
【図１２】本発明の第３実施形態による印刷装置の第１ノズル部、第２ノズル部、第１ワイパ部材および第２ワイパ部材を示した底面図である。
【図１３】本発明の第１実施形態の変形例よる印刷装置の第１ノズル部、第２ノズル部、第１ワイパ部材および第２ワイパ部材を示した底面図である。
【発明を実施するための形態】
【００２０】
以下、本発明の実施形態を図面に基づいて説明する。
【００２１】
［第１実施形態］
図１〜図８を参照して、本発明の第１実施形態による印刷装置１００の構成について説明する。
【００２２】
（印刷装置の構成）
印刷装置１００は、図１に示すように、所定のケーブルＫによりパーソナルコンピュータＣと接続可能に構成されている。また、印刷装置１００は、後方側（Ｙ１方向側）に給紙トレイ１０１が設けられている。また、印刷装置１００は、給紙トレイ１０１から給紙された用紙ＰにパーソナルコンピュータＣから取得した画像データに基づいて画像を印刷可能に構成されている。
【００２３】
以下では、印刷装置１００の幅方向をＸ方向とし、水平方向においてＸ方向に直交する方向をＹ方向とする。すなわち、印刷装置１００の奥行き方向（前後方向）をＹ方向とする。また、高さ方向をＺ方向とする。なお、Ｙ方向は、特許請求の範囲の「所定方向」の一例である。
【００２４】
印刷装置１００は、図２に示すように、種々の部品が設置される筐体１と、カバー部２（図１参照）と、印刷部３と、メンテナンスユニット４とを備えている。カバー部２は、筐体１に対して上方（Ｚ１方向）から取り付けられることにより筐体１を覆っている。また、筐体１には、ベルト１ａを有するガイドレール１ｂが設けられている。印刷部３は、ガイドレール１ｂに沿って、ベルト１ａによりＸ方向に往復移動されることによって、用紙Ｐ（図１参照）上に印刷を行うように構成されている。印刷の際、印刷部３は、用紙Ｐの上方の領域（印刷領域）を移動するように構成されている。なお、図２では、カバー部２を省略した構成を示している。また、印刷部３は、特許請求の範囲の「プリントヘッド」の一例である。
【００２５】
（印刷部の構成）
次に、図２〜図６を参照して、印刷部３について説明する。
【００２６】
印刷部３は、図２に示すように、第１インクカートリッジ５と、第２インクカートリッジ６と、第１インクカートリッジ５および第２インクカートリッジ６がＸ方向に並んで装着される装着部７とを含んでいる。また、印刷部３は、Ｙ方向に延び、インクを吐出する第１ノズル部５０と第２ノズル部６０とを有している。なお、以下では、第１インクカートリッジ５および第２インクカートリッジ６が装着部７に装着された状態を前提として説明する。また、第１インクカートリッジ５と第２インクカートリッジ６とは、基本構造が同じであるため、以下では、第１インクカートリッジ５について詳細に説明し、第２インクカートリッジ６については第１インクカートリッジ５との相違点について主に説明する。
【００２７】
第１インクカートリッジ５は、装着部７に着脱可能に取り付けられる。また、第１インクカートリッジ５には、赤、青および緑などの黒を除く複数色のカラーインクが詰められている。
【００２８】
第１インクカートリッジ５は、図３および図４に示すように、インクを吐出する第１ノズル部５０を有している。第１ノズル部５０は、第１インクカートリッジ５の下面（ノズル面５ａ）に設けられている。第１ノズル部５０は、ノズル面５ａに設けられるインク供給孔５１（図４参照）と、インク供給孔５１が設けられたノズル面５ａ上に接着されたシート部材５２と、シート部材５２を接着した接着部５３（接着剤）とを含んでいる。なお、第１ノズル部５０は、特許請求の範囲の「第１吐出部」の一例である。
【００２９】
インク供給孔５１は、図４に示すように、上下方向（Ｚ方向）に延びるとともに、第１インクカートリッジ５内部からシート部材５２側にインクを供給する孔である。また、図示しないが、インク供給孔５１は、底面視において（下方から見て）、矩形状に形成され、マトリクス状に複数設けられている。
【００３０】
シート部材５２は、図３に示すように、矩形のシート形状に形成されている。また、シート部材５２は、Ｙ方向に長さＬ１を有している。また、シート部材５２は、格子状のインクの噴射口５２ａを有している。
【００３１】
接着部５３は、シート部材５２をノズル面５ａに接着する機能を有している。また、接着部５３は、シート部材５２のＸ方向の両端部に沿って、Ｙ方向に延びており、シート部材５２の両端部の全域に配置されている。したがって、接着部５３は、概ね、Ｙ方向に長さＬ１を有している。また、接着部５３は、図４に示すように、ノズル面５ａから下方（Ｚ２方向）に突出している。接着部５３の頂部は、シート部材５２の表面よりも下方（Ｚ２方向）に突出している。
【００３２】
図５および図６に示す第２インクカートリッジ６には、黒色のインク（モノクロインク）が詰められている。また、第２インクカートリッジ６は、インクを噴射する第２ノズル部６０を有している。第２ノズル部６０は、第２インクカートリッジ６の下面（ノズル面６ａ）に設けられている。第２ノズル部６０は、インク供給孔６１（図６参照）と、シート部材６２と、接着部６３とを含んでいる。なお、第２ノズル部６０は、特許請求の範囲の「第２吐出部」の一例である。
【００３３】
シート部材６２は、図５に示すＹ方向に長さＬ２を有している。接着部６３は、概ね、Ｙ方向に長さＬ２を有している。また、図７に示すように、第２ノズル部６０（シート部材６２および接着部６３）は、Ｘ方向において、第１ノズル部５０（シート部材５２および接着部５３）と重なるとともに、Ｙ方向の長さＬ２が第１ノズル部５０のＹ方向の長さＬ１よりも大きい。また、第２ノズル部６０（シート部材６２および接着部６３）のＹ１方向の端部６０ａは、第１ノズル部５０（シート部材５２および接着部５３）のＹ１方向の端部５０ａとＸ方向に並んで配置されている。
【００３４】
装着部７は、図２に示すように、第１インクカートリッジ５と、第２インクカートリッジ６とが、それぞれ、着脱可能に取り付けられるように構成されている。また、装着部７（印刷部３）は、印刷時において、ガイドレール１ｂに沿って、幅方向（Ｘ方向）に往復移動するように構成されている。したがって、装着部７は、メンテナンスユニット４（後述する第１ワイパ部材１０および第２ワイパ部材１１）に対して、Ｘ方向に移動するように構成されている。なお、印刷装置１００は、装着部７がガイドレール１ｂのＸ１方の端部に位置する場合に、印刷終了状態、または、印刷待機状態となるように構成されている。なお、第１ワイパ部材１０は、特許請求の範囲の「第１当接部」の一例である。また、第２ワイパ部材１１は、特許請求の範囲の「第２当接部」の一例である。
【００３５】
（メンテナンスユニットの構成）
次に、図２および図８を参照して、メンテナンスユニットについて説明する。
【００３６】
メンテナンスユニット４は、図２に示すように、装着部７が移動する領域の下方側（Ｚ２方向側）、かつ、印刷装置１００のＸ１方向の端部近傍に配置されている。また、メンテナンスユニット４は、第１インクカートリッジ５および第２インクカートリッジ６のメンテナンス動作を行うように構成されている。
【００３７】
メンテナンスユニット４は、図８に示すように、昇降機構部８と、キャップ部材９と、第１ワイパ部材１０と、第２ワイパ部材１１とを含んでいる。
【００３８】
昇降機構部８は、筐体１（図２参照）に対して固定的に取り付けられるベース部材８０と、ベース部材８０内に配置される移動体８１とを含んでいる。そして、昇降機構部８は、ベース部材８０内で移動体８１をスライド移動させることにより、第１ワイパ部材１０、第２ワイパ部材１１およびキャップ部材９を昇降させるように構成されている。
【００３９】
詳細には、ベース部材８０は、上方が開放された箱形状に形成されている。また、ベース部材８０のＹ方向の両側面には、移動体８１をガイドするためのガイド溝部８０ａが設けられている。また、ガイド溝部８０ａがＸ２端部から右斜め上方に延びた後、Ｘ１方向に延びるように形成されている。
【００４０】
移動体８１は、上方が開放された箱形状に形成されている。また、移動体８１内には、キャップ部材９と、第１ワイパ部材１０と、第２ワイパ部材１１とが設置されている。また、移動体８１のＹ方向の両側面には、Ｙ方向に突出してガイド溝部８０ａ内に配置される丸棒状の被ガイド部８１ａが設けられている。また、移動体８１には、上方に延びる被当接部８１ｂが設けられている。被当接部８１ｂは、Ｘ１方向に移動する装着部７（図２参照）に当接されるように構成されている。移動体８１は、被当接部８１ｂに装着部７が当接することにより、装着部７とともにＸ１方向に移動するように構成されている。この際、移動体８１は、被ガイド部８１ａがベース部材８０のガイド溝部８０ａ内に沿って右斜め上方に移動することにより、上昇するように構成されている。このように、昇降機構部８は、キャップ部材９、第１ワイパ部材１０および第２ワイパ部材１１を、移動体８１とともに上昇させるように構成されている。
【００４１】
移動体８１は、バネなどの付勢部材（図示せず）により、Ｘ２方向に常に付勢されている。したがって、装着部７がＸ２方向に移動することにより、Ｘ２方向に移動するように構成されている。また、移動体８１には、移動体８１がＸ２方向に移動する途中において、移動体８１のＸ２方向への移動を規制することにより、移動体８１の高さ位置を所定の高さ位置に保持する高さ保持部（図示せず）が設けられている。これにより、移動体８１は、第１ワイパ部材１０および第２ワイパ部材１１を、第１ノズル部５０および第２ノズル部６０を払拭することが可能な所定高さ位置に保持するように構成されている。
【００４２】
高さ保持部により移動体８１のＸ方向移動が規制された状態で、装着部７が所定の払拭動作範囲をＸ２方向に移動することにより、第１ノズル部５０（図３参照）および第２ノズル部６０（図５参照）の払拭が行われる。また、高さ保持部は、装着部７が払拭動作範囲よりもＸ２方向側に設定された所定の解除位置まで移動すると、装着部７によって高さ保持部による移動体８１のＸ方向移動を規制する状態が解除されるように構成されている。その結果、第１ワイパ部材１０および第２ワイパ部材１１による第１ノズル部５０および第２ノズル部６０の払拭が完了して、装着部７が所定の解除位置に到着すると、移動体８１は、引張バネにＸ２方向に引っ張られて、ガイド溝部８０ａに沿って下降するように構成されている。
【００４３】
キャップ部材９は、昇降機構部８により、上昇されて、第１ノズル部５０（図３参照）および第２ノズル部６０（図５参照）に下方から当接するように構成されている。そして、キャップ部材９は、シート部材５２（図３参照）および６２（図５参照）にそれぞれ設けられたインクの噴射口５２ａ（図３参照）および６２ａ（図５参照）を封止するように構成されている。その結果、印刷装置１００は、印刷終了状態、または、印刷待機状態となる。
【００４４】
図７に示す第１ワイパ部材１０および第２ワイパ部材１１は、Ｘ２方向に装着部７とともに移動する第１ノズル部５０および第２ノズル部６０（シート部材５２および６２の表面）を払拭するように構成されている。第１ワイパ部材１０は、第１ノズル部５０および第２ノズル部６０のいずれにも当接する領域を有している。第２ワイパ部材１１は、少なくとも、第１ワイパ部材１０が当接しない範囲の第２ノズル部６０に当接する領域を有している。また、第１ワイパ部材１０および第２ワイパ部材１１は、図８に示すように、互いに別個に設けられており、それぞれ、下方側が移動体８１に固定されている。また、第１ワイパ部材１０および第２ワイパ部材１１は、平板形状に形成されている。また、第１ワイパ部材１０および第２ワイパ部材１１は、互いに異なる材質のゴムにより形成されている。なお、第１ワイパ部材１０は、第２ワイパ部材１１よりも剛性が高い材料により形成されている。また、第１ワイパ部材１０と第２ワイパ部材１１とは同じ厚みを有している。
【００４５】
第１ワイパ部材１０および第２ワイパ部材１１は、図７を参照して理解されるように、Ｙ方向から見て、Ｘ方向に並んで配置されている。また、第１ワイパ部材１０は、第２ワイパ部材１１のＸ１方向側（キャップ部材９側）（図８参照）に配置されている。つまり、第１ワイパ部材１０は、第２ワイパ部材１１よりも、装着部７とともにＸ２方向に移動する第１ノズル部５０および第２ノズル部６０に、先に当接する位置に配置されている。また、第２ワイパ部材１１は、Ｘ方向において、第１ワイパ部材１０の近傍で、かつ、第１ワイパ部材１０に対して離間した位置に配置されている。また、第１ワイパ部材１０と第２ワイパ部材１１とは、互いに平行に配置されている。
【００４６】
第１ワイパ部材１０のＹ方向における第２ワイパ部材１１側（Ｙ１方向側）の一端１０ａ近傍と、第２ワイパ部材１１のＹ方向における第１ワイパ部材１０側（Ｙ２方向側）の一端１１ａ近傍とは、Ｘ方向において、互いに重なるように構成されている。したがって、Ｘ方向において、第１ワイパ部材１０と第２ワイパ部材１１とが重なる範囲では、２重に払拭が行われる。なお、以下では、第２ワイパ部材１１と第１ワイパ部材１０とが互いに重なる部分を、ワイパ重複部Ｔとする。ワイパ重複部Ｔは、Ｙ方向に長さｔを有している。なお、ワイパ重複部Ｔは、第１ノズル部５０および第２ノズル部６０のいずれにも当接する第１ワイパ部材１０および第２ワイパ部材１１のＹ方向における共通の領域である。また、ワイパ重複部Ｔは、特許請求の範囲の「共通の領域」の一例である。
【００４７】
第１ワイパ部材１０のＹ２方向の一端１０ｂは、第１ノズル部５０のＹ２方向の端部５０ａおよび第２ノズル部６０のＹ２方向の端部６０ａと、Ｘ方向に並んで配置されている。すなわち、第１ワイパ部材１０、第１ノズル部５０および第２ノズル部６０は、共に、Ｙ方向における共通の位置からＹ１方向に延びるように形成されている。
【００４８】
第１ワイパ部材１０は、Ｙ方向において、第１ノズル部５０以上（Ｌ１以上）、第２ノズル部６０未満（Ｌ２未満）の長さを有している。詳細には、第１ワイパ部材１０は、Ｙ方向において、第１ノズル部５０と同じ長さＬ１を有している。したがって、第１ワイパ部材１０は、装着部７がＸ方向に移動する際に、第１ノズル部５０および第２ノズル部６０のうちＸ方向に互いに重なる長さＬ１の範囲を払拭するように構成されている。すなわち、第１ワイパ部材１０は、第１ノズル部５０の全域、および、第２ノズル部６０のＹ２方向側の端部６０ａから長さＬ１の範囲を払拭するように構成されている。
【００４９】
第２ワイパ部材１１は、Ｙ方向に長さＬ３（＝Ｌ２−Ｌ１＋ｔ）を有している。また、第２ワイパ部材１１のＹ１方向側の他端１１ｂは、第２ノズル部６０のＹ１方向側の端部６０ｂとＸ方向に並んでいる。装着部７がＸ方向に移動する際に、第１ノズル部５０および第２ノズル部６０のうち第１ワイパ部材１０に払拭されない範囲を払拭するように構成されている。すなわち、第２ワイパ部材１１は、第２ノズル部６０のＹ１方向側の端部６０ｂから長さＬ２−Ｌ１の範囲を払拭するように構成されている。さらに、第２ワイパ部材１１は、ワイパ重複部Ｔにより、第１ノズル部５０および第２ノズル部６０のうちＸ方向に互いに重なる範囲のうちＹ１方向側の一部分を払拭するように構成されている。
【００５０】
（ワイパ部材の摩耗）
次に、図１０および図１１を参照して、第１ワイパ部材１０および第２ワイパ部材１１の繰返し使用に伴う摩耗（経年劣化）について説明する。
【００５１】
第１ワイパ部材１０および第２ワイパ部材１１は、図１０および図１１に示すように、払拭を繰り返すうちに、先端部が徐々に摩耗していく（削られていく）。すなわち、第１ワイパ部材１０および第２ワイパ部材１１は、払拭を繰り返すうちに、徐々に短くなる。第１ワイパ部材１０および第２ワイパ部材１１の摩耗の原因は、ノズル面５ａおよび６ａ（図４参照）から、それぞれ、第１ワイパ部材１０および第２ワイパ部材１１側（下方側）に突出する接着部５３および６３（図４参照）に、第１ワイパ部材１０および第２ワイパ部材１１が繰り返し当接して擦られることにある。
【００５２】
第１ワイパ部材１０および第２ワイパ部材１１の摩耗による形状変化について説明する。第１ワイパ部材１０は、図７に示すように、第１ワイパ部材１０の全範囲で第１ノズル部５０および第２ノズル部６０を均等に払拭する。このため、第１ワイパ部材１０は、摩耗により均等に短くなっていく。なお、破線部分は、摩耗によりなくなった部分である。一方、第２ワイパ部材１１は、ワイパ重複部Ｔで第１ノズル部５０および第２ノズル部６０を払拭するとともに、ワイパ重複部Ｔを除いた部分で第２ノズル部６０のみを払拭する。このため、ワイパ重複部Ｔの摩耗量は、ワイパ重複部Ｔを除いた部分の摩耗量よりも大きくなる。したがって、第２ワイパ部材１１には、先端部（上端部）に段差が生じる。なお、第２ワイパ部材１１の段差に起因して、第２ワイパ部材１１のワイパ重複部Ｔにより払拭されにくくなる部分は、第１ワイパ部材１０のワイパ重複部Ｔにより払拭されるため、払拭漏れが生じることはない。
【００５３】
（第１実施形態の効果）
第１実施形態では、以下のような効果を得ることができる。
【００５４】
第１実施形態では、上記のように、第１ワイパ部材１０に、第１ノズル部５０および第２ノズル部６０のいずれにも当接する領域を設け、第２ワイパ部材１１に、少なくとも、第１ワイパ部材１０が当接しない範囲の第２ノズル部６０に当接する領域を設ける。これにより、第１ワイパ部材１０が、第１ノズル部５０および第２ノズル部６０（２つのノズル部）に当接して払拭を行い、第２ワイパ部材１１が、第２ノズル部６０（１つのノズル部）に当接して払拭を行うので、第１ワイパ部材１０および第２ワイパ部材１１が不均一に削れることが抑制される。その結果、第１ワイパ部材１０および第２ワイパ部材１１と第１ノズル部５０および第２ノズル部６０（２つのノズル部）とが不均一に接触し、第１ワイパ部材１０および第２ワイパ部材１１の摩耗量が不均一になることに起因して、第１ワイパ部材１０および第２ワイパ部材１１のインクの払拭性能が低下するのを抑制することができる。
【００５５】
また、第１実施形態では、上記のように、Ｙ方向おいて、第１ワイパ部材１０および第２ワイパ部材１１に、第１ノズル部５０および第２ノズル部６０のいずれにも当接するワイパ重複部Ｔを設ける。これにより、第１ワイパ部材１０の第２ワイパ部材１１側、および、第２ワイパ部材１１の第１ワイパ部材１０側のワイパ重複部Ｔにおいて、第１ワイパ部材１０および第２ワイパ部材１１を、確実に第１ノズル部５０および第２ノズル部６０に当接させることができる。その結果、第１ワイパ部材１０と第２ワイパ部材１１との間で、払拭漏れが生じるのを抑制することができる。
【００５６】
また、第１実施形態では、上記のように、第１ワイパ部材１０を、第２ワイパ部材１１よりも、第１ノズル部５０および第２ノズル部６０に先に当接する位置に配置する。これにより、第２ワイパ部材１１に先んじて、第１ワイパ部材１０により、第１ノズル部５０および第２ノズル部６０を払拭することができる。
【００５７】
また、第１実施形態では、上記のように、第１ワイパ部材１０を、第２ワイパ部材１１よりも剛性が高くなるように構成する。これにより、第１ワイパ部材１０を、第２ワイパ部材１１よりも撓みにくくすることができるので、第１ワイパ部材１０と第２ワイパ部材１１とを近接させても、当接時に、第１ワイパ部材１０と第２ワイパ部材１１とが接触するのを抑制することができる。
【００５８】
また、第１実施形態では、上記のように、第１ノズル部５０を、モノクロインクを吐出するように構成し、第２ノズル部６０を、カラーインクを吐出するように構成し、Ｙ方向において、第１ノズル部５０の長さＬ１を、第１ワイパ部材１０の長さと等しくする。これにより、第１ワイパ部材１０を所定の位置に配置することにより、第１ノズル部５０の全域に第１ワイパ部材１０を確実に当接させることができる。
【００５９】
［第２実施形態］
次に、図１および図１１を参照して、本発明の第２実施形態について説明する。この第２実施形態では、第１ワイパ部材１０と第２ワイパ部材１１とを平行に配置した上記第１実施形態とは異なり、第１ワイパ部材１０に対して第２ワイパ部材２１１を傾斜させた構成について説明する。なお、上記第１実施形態と同様の構成は、第１実施形態と同じ符号を付して図示するとともに説明を省略する。また、第２ワイパ部材２１１は、特許請求の範囲の「第２当接部」の一例である。
【００６０】
図１１に示すように、第２実施形態による印刷装置２００（図１参照）では、平面視において、第２ワイパ部材２１１は、第１ワイパ部材１０に対して傾斜している。
【００６１】
詳細には、第１ワイパ部材１０は、平面視において、Ｙ方向に延びるように形成されている。また、第２ワイパ部材２１１は、平面視において、Ｙ２方向側の一端１１ａがＹ１方向側の他端１１ｂよりも、Ｘ方向において、第１ワイパ部材１０側に位置するように第１ワイパ部材１０に対して傾斜している。すなわち、第２ワイパ部材２１１は、ワイパ重複部Ｔが最もＸ１方向側に位置するように、第１ワイパ部材１０に対して傾斜している。つまり、第１ワイパ部材１０と第２ワイパ部材２１１とは、所定の角度をなしている。
【００６２】
（第２実施形態の効果）
第２実施形態では、以下のような効果を得ることができる。
【００６３】
第２実施形態では、上記第１実施形態と同様に、第１ワイパ部材１０に、第１ノズル部５０および第２ノズル部６０のいずれにも当接する領域を設け、第２ワイパ部材２１１に、少なくとも、第１ワイパ部材１０が当接しない範囲の第２ノズル部６０に当接する領域を設ける。これにより、第１ワイパ部材１０および第２ワイパ部材２１１と第１ノズル部５０および第２ノズル部６０（２つのノズル部）とが不均一に接触し、第１ワイパ部材１０および第２ワイパ部材２１１の摩耗量が不均一になることに起因して、第１ワイパ部材１０および第２ワイパ部材２１１のインクの払拭性能が低下するのを抑制することができる。
【００６４】
第２実施形態では、上記のように、第１ワイパ部材１０および第２ワイパ部材２１１を、所定の角度をなすように配置する。これにより、Ｙ方向における第１ノズル部５０および第２ノズル部６０の外側にインクを払き出すことができる。
【００６５】
［第３実施形態］
次に、図１および図１２を参照して、本発明の第３実施形態について説明する。この第３実施形態では、上記第１実施形態の構成に加えて、第２ワイパ部材３１１にインクガイド部１１０を設けた構成について説明する。なお、上記第１実施形態と同様の構成は、第１実施形態と同じ符号を付して図示するとともに説明を省略する。なお、インクガイド部１１０は、特許請求の範囲の「凸部」の一例である。また、第２ワイパ部材３１１は、特許請求の範囲の「第２当接部」の一例である。
【００６６】
図１２に示すように、第３実施形態による印刷装置３００（図１参照）では、第２ワイパ部材３１１には、インクガイド部１１０が設けられている。
【００６７】
詳細には、第２ワイパ部材３１１の第１ワイパ部材１０側（Ｙ２方向側）の一端１１ａには、第１ワイパ部材１０側に突出する三角形状のインクガイド部１１０が設けられている。つまり、インクガイド部１１０は、第２ワイパ部材３１１の第１ワイパ部材１０側の端部近傍に設けられている。また、インクガイド部１１０は、第１ワイパ部材１０側（Ｘ１方向側）に向けて突出している。インクガイド部１１０は、第２ワイパ部材３１１と第１ワイパ部材１０との間を堰き止めてインクが通過するのを抑制するとともに、インクを第２ワイパ部材３１１のＹ１方向側の他端１１ｂにガイドするように構成されている。
【００６８】
（第３実施形態の効果）
第３実施形態では、以下のような効果を得ることができる。
【００６９】
第３実施形態では、上記第１実施形態と同様に、第１ワイパ部材１０に、第１ノズル部５０および第２ノズル部６０のいずれにも当接する領域を設け、第２ワイパ部材３１１に、少なくとも、第１ワイパ部材１０が当接しない範囲の第２ノズル部６０に当接する領域を設ける。これにより、第１ワイパ部材１０および第２ワイパ部材３１１と第１ノズル部５０および第２ノズル部６０（２つのノズル部）とが不均一に接触し、第１ワイパ部材１０および第２ワイパ部材３１１の摩耗量が不均一になることに起因して、第１ワイパ部材１０および第２ワイパ部材３１１のインクの払拭性能が低下するのを抑制することができる。
【００７０】
また、第３実施形態では、上記のように、第２ワイパ部材３１１の第１ワイパ部材１０側の端部近傍に、第１ワイパ部材１０側に向けて突出するインクガイド部１１０を設ける。これにより、第１ワイパ部材１０の一端から第２ワイパ部材３１１側に拭き出されたインクを、インクガイド部１１０により、第１ノズル部５０および第２ノズル部６０の外側に拭き出すことができる。
【００７１】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７２】
たとえば、上記第１〜第３実施形態では、第１ワイパ部材の厚みと第２ワイパ部材の厚みとを同じにした例を示したが本発明はこれに限らない。本発明では、第１ワイパ部材の厚みと第２ワイパ部材の厚みとを異ならせてもよい。たとえば、図１３に示す変形例のように、第２ワイパ部材４１１の厚みを、第１ワイパ部材１０の厚みよりも薄くしてもよい。また、印刷部（プリントヘッド）は、第１ノズル部（第１吐出部）を有する第１インクカートリッジと、第２ノズル部（第２吐出部）を有する第２インクカートリッジとを取り替え可能に収容してもよい。また、第２ワイパ部材４１１は、特許請求の範囲の「第２当接部」の一例である。
【００７３】
また、上記第１〜第３実施形態では、第１ワイパ部材と第２ワイパ部材とを互いに異なる材料により形成した例を示したが、本発明はこれに限らない。本発明では、第１ワイパ部材と第２ワイパ部材とを同じ材料により形成してもよい。
【００７４】
また、上記第１〜第３実施形態では、装着部を移動させることにより、第１ワイパ部材および第２ワイパ部材による払拭を行うように構成した例を示したが、本発明はこれに限らない。本発明では、第１ワイパ部材および第２ワイパ部材を装着部対して移動させることにより、第１ワイパ部材および第２ワイパ部材による払拭を行うように構成してもよい。
【００７５】
また、上記第１〜第３実施形態では、第１ワイパ部材のＹ方向における第２ワイパ部材側の一端近傍と、第２ワイパ部材のＹ方向における第２ワイパ部材側の一端近傍とが、Ｘ方向において、互いに重なるように構成した例を示したが、本発明はこれに限らない。本発明では、第１ワイパ部材のＹ方向における第２ワイパ部材側の一端近傍と、第２ワイパ部材のＹ方向における第２ワイパ部材側の一端近傍とがＸ方向において、互いに重ならないように構成してもよい。なお、この場合には、第１ワイパ部材のＹ方向における第２ワイパ部材側の一端近傍と、第２ワイパ部材のＹ方向における第２ワイパ部材側の一端近傍とを、Ｘ方向において、並ぶように構成する。
【００７６】
また、上記第１〜第３実施形態では、第１ワイパ部材および第２ワイパ部材を平板形状に形成した例を示したが、本発明はこれに限らない。本発明では、第１ワイパ部材および第２ワイパ部材を平板形状以外の形状に形成してもよい。たとえば、第１ワイパ部材および第２ワイパ部材をブロック形状に形成してもよい。
【符号の説明】
【００７７】
３  印刷部（プリントヘッド）
１０  第１ワイパ部材（第１当接部）
１１、２１１、３１１、４１１  第２ワイパ部材（第２当接部）
５０  第１ノズル部（第１吐出部）
６０  第２ノズル部（第２吐出部）
１００、２００、３００  印刷装置
１１０  インクガイド部（凸部）
Ｔ  ワイパ重複部（共通の領域）
【図１】
2018030268.tif 000003
【図２】
2018030268.tif 000004
【図３】
2018030268.tif 000005
【図４】
2018030268.tif 000006
【図５】
2018030268.tif 000007
【図６】
2018030268.tif 000008
【図７】
2018030268.tif 000009
【図８】
2018030268.tif 000010
【図９】
2018030268.tif 000011
【図１０】
2018030268.tif 000012
【図１１】
2018030268.tif 000013
【図１２】
2018030268.tif 000014
【図１３】
2018030268.tif 000015